(57)【特許請求の範囲】
【請求項１】
注射液が充填されるアンプルに連結されて、前記アンプル内の前記注射液を加圧するプランジャーと、
前記プランジャーの一側に連結され、前記プランジャーを手動で加圧するプランジャー手動ハンドルと、
前記プランジャーに隣接した位置で前記プランジャーと選択的に連結され、動力によって前記プランジャーを自動で加圧するプランジャー自動加圧ユニットと、
を含み、
前記プランジャー自動加圧ユニットは、
前記プランジャーを加圧させるための動力を提供するプランジャー駆動部と、
ギア方式によって前記プランジャーと選択的に連結または連結解除される連結ギア部と、
前記連結ギア部を作動させるギア作動部と、
を含み、
前記連結ギア部は、
前記プランジャー駆動部に結合されるウォームギアと、
前記プランジャーの外面に形成されて、前記ウォームギアに噛み合うラックギアと、
を含み、
前記プランジャー自動加圧ユニットは、
前記プランジャー駆動部と前記ウォームギアを一体に支持するユニットケーシングをさらに含み、
前記ギア作動部は、
一方向に摺動加圧される時、前記ウォームギアが、前記ラックギアに噛み合うように前記ユニットケーシングを動作させるプッシャーと、
前記ユニットケーシングに連結され、前記ウォームギアが、前記ラックギアから噛み合い解除される方向に付勢される弾性部材と、
を含むことを特徴とする薬液注入装置。
【請求項２】
前記ユニットケーシングは、前記プッシャーと対面する一面に前記プッシャーの摺動方向に沿って傾斜して設けられる傾斜接触部が形成され、
前記プッシャーは、
前記傾斜接触部に沿って摺動されながら、前記ユニットケーシングを加圧する加圧部材と、
前記加圧部材にピン連結されるプッシャースイッチと、
を含むことを特徴とする請求項１に記載の薬液注入装置。
【請求項３】
前記ユニットケーシングには、前記ウォームギアが露出されるウォームギア露出用切り取り部がさらに形成されることを特徴とする請求項１に記載の薬液注入装置。
【請求項４】
前記プランジャーが通過しながらガイドされるプランジャートンネル部を備え、前記ユニットケーシングと折畳可能に結合されるプランジャーガイドボディーをさらに含むことを特徴とする請求項１に記載の薬液注入装置。
【請求項５】
前記プランジャートンネル部には、前記ラックギアが露出されるラックギア露出用切り取り部がさらに形成されることを特徴とする請求項４に記載の薬液注入装置。
【請求項６】
前記プランジャーガイドボディーの外壁面に突設されるブラケットに収容されて、前記プランジャー駆動部に電源を供給する電源供給部をさらに含み、
前記電源供給部は、
電源を供給する少なくとも１つの充電用バッテリと、
前記少なくとも１つの充電用バッテリを有線または無線で充電させるコンプライアンスモジュールと、
を含むことを特徴とする請求項４に記載の薬液注入装置。
【請求項７】
前記プランジャーガイドボディーと前記プランジャー自動加圧ユニットの外側で前記プランジャーガイドボディーと前記プランジャー自動加圧ユニットを保護する保護ケーシングをさらに含むことを特徴とする請求項４に記載の薬液注入装置。
【請求項８】
前記プランジャー手動ハンドルは、
前記保護ケーシングの外壁に閉ループ状になるように結合され、前記プランジャーの移動方向に沿って前記プランジャーが通過する通過孔が設けられるハンドル把持部と、
前記通過孔を通じて前記プランジャーの一端部と連結されて、前記プランジャーを加圧するプランジャー加圧部と、
を含むことを特徴とする請求項７に記載の薬液注入装置。
【請求項９】
前記保護ケーシングの外壁には、前記ハンドル把持部が挿設される挿入溝が形成され、前記ハンドル把持部には、前記挿入溝に挿設される挿入突起が設けられることを特徴とする請求項８に記載の薬液注入装置。
【請求項１０】
前記注射液が充填されるアンプルが内部に収容され、前記保護ケーシング内部に挿入されるアンプルホルダー部をさらに含み、
前記アンプルホルダー部は、
前記注射液が充填されるアンプルが内部に収容されるアンプル収容部と、
前記アンプル収容部に結合されるニードルホルダーと、
前記ニードルホルダーに結合される体内注入用ニードルと、を含み、
前記アンプル収容部は、
前記アンプル収容部の末端部に隣接した位置で円周方向に沿って突設された少なくとも１つの係止突起が設けられ、前記アンプル収容部が回転すれば、前記係止突起が、前記保護ケーシングに形成された干渉壁体に干渉されることを特徴とする請求項８に記載の薬液注入装置。
【請求項１１】
前記保護ケーシングは、
上部ケーシングと、
前記上部ケーシングと互いに組み立てられる下部ケーシングと、を含み、
前記上部ケーシングと前記下部ケーシングの前端部外側には、周り方向に沿って突設された突出部が設けられ、
前記上部ケーシングと下部ケーシングをクランピングするクランピングキャップをさらに含み、
前記クランピングキャップの内側には、前記突出部が係合されるように周り方向に沿って陥没形成された溝部が設けられることを特徴とする請求項１０に記載の薬液注入装置。
【発明の詳細な説明】
【技術分野】
【０００１】
本発明は、薬液注入装置に係り、より詳細には、手動／自動モード切替えが可能であって、便宜性が増大し、患者の敏感度によって注入方式を自在に選択して、薬液注入時間を節減して、患者の満足度が向上する薬液注入装置に関する。
【背景技術】
【０００２】
インプラントは、元々人体組織が喪失された時、回復させる代替物を意味するが、歯科では、人工歯を移植する一連の施術を示す。
【０００３】
インプラントを簡単に説明すれば、喪失された歯根（根）の代わりに、人体に拒絶反応のないチタン（ｔｉｔａｎｉｕｍ）などで作った歯根であるフィクスチャー（ｆｉｘｔｕｒｅ）を抜歯された歯槽骨に植えた後、人工歯を固定させて、歯牙の機能を回復させる施術である。
【０００４】
インプラント施術は、フィクスチャーの種類によって多様であるが、所定のドリルを使って植立位置を穿孔した後、フィクスチャーを歯槽骨に植立して骨に骨融合させた後、フィクスチャーに支台柱（ａｂｕｔｍｅｎｔ）を結合させた後に、支台柱に最終補綴物を被せることによって、完了することが一般的である。
【０００５】
一般補綴物や総入れ歯の場合、経時的に周の歯牙と骨とが傷むが、インプラントは、周辺歯牙組織を傷まないようにし、自然歯と機能や形状において同じながらも、虫歯が生じないので、半永久的に使える長所がある。
【０００６】
また、インプラント施術は、単一欠損歯の修復はもとより部分無歯症及び完全無歯症患者に義歯の機能を増進させ、補綴修復の審美的な面を改善させ、さらに周の支持骨組織に加えられる過度な応力を分散させると共に、歯列の安定化に役に立つ。
【０００７】
一方、インプラント施術は、その施術過程で歯茎切開、ドリルによる穿孔などを行うことによって、被施術者に多くの苦痛を誘発する。したがって、インプラント施術で、施術部位に対する局部麻酔は必須である。
【０００８】
このような局部麻酔は、通常注射器で麻酔液を加圧して施術部位に麻酔液を注入する方式でなされる。この際、麻酔液の注入速度、すなわち、麻酔液の加圧速度が早ければ、麻酔液の注入部位に過度な圧力が発生し、それにより、被施術者が痛みを感じる。
【０００９】
したがって、麻酔液の注入は、なるべく遅い速度でなされなければならない。ところで、麻酔液の注入速度を遅らせば、麻酔液の注入時間が増え、結局、施術者が注射器を持っている時間が増える。
【００１０】
施術者が注射器を持っている時間が増えれば、施術者が一定の注入速度を保持しにくいだけではなく、手ぶれ現象が起こりうる。その結果、患者は口を開けていなければならない時間が長くなり、さらに、施術者の手ぶれ現象によって被施術者が痛みを感じる。
【００１１】
このような問題点を解決するために、多くの試みがなされ、その代表的な例として、韓国特許登録１０−０７８４９３１に開示されたような自動麻酔装置が開発された。
【００１２】
前記自動麻酔装置によれば、麻酔液の注入速度が施術しようとする部位から形成される圧力の変化によって適切に調節されて、患者が感じる痛みを最小化することができる長所があると開示されている。
【００１３】
しかし、前記のような構造を成す薬液注入装置は、薬液注入装置の構造が複雑かつ重くて、施術者が長時間持っていることが大変であり、薬液注入過程で手ぶれ現象による付加的な苦痛が発生してしまう短所がある。
【００１４】
一方、局部麻酔時に、麻酔液が血管内に入れば、痛みが誘発されるので、麻酔液を注入する前に注射針を入れた後、注射器プランジャー（ｐｌｕｎｇｅｒ）を少し後に引っ張って注射針が血管を貫通していないことを確認するアスピレーション（ａｓｐｉｒａｔｉｏｎ）を行うか、患者の敏感度や麻酔されて行く程度に基づいて、施術者の判断下で手動で変換して麻酔液を注入することが、自動で注入するよりも便利な時がある。
【００１５】
しかし、前述したように、従来技術による自動麻酔装置は、構造が複雑かつ重くて、施術者が長時間ハンドリングしにくく、必要に応じて手動に切り替えて麻酔液を注入することができないという問題点がある。
【発明の概要】
【発明が解決しようとする課題】
【００１６】
本発明が解決しようとする課題は、手動／自動モード切替えが可能であって、便宜性が増大し、患者の敏感度によって注入方式を自在に選択して、薬液注入時間を節減して、患者の満足度が向上する薬液注入装置を提供するところにある。
【課題を解決するための手段】
【００１７】
本発明の一側面によれば、注射液が充填されるアンプルに連結されて、前記アンプル内の前記注射液を加圧するプランジャーと、前記プランジャーの一側に連結され、前記プランジャーを手動で加圧するプランジャー手動ハンドルと、前記プランジャーに隣接した位置で前記プランジャーと選択的に連結され、動力によって前記プランジャーを自動で加圧するプランジャー自動加圧ユニットと、を含む薬液注入装置が提供されうる。
【００１８】
前記プランジャー自動加圧ユニットは、前記プランジャーを加圧させるための動力を提供するプランジャー駆動部と、ギア方式によって前記プランジャーと選択的に連結または連結解除される連結ギア部と、前記連結ギア部を作動させるギア作動部と、を含みうる。
【００１９】
前記連結ギア部は、前記プランジャー駆動部に結合されるウォームギアと、前記プランジャーの外面に形成されて、前記ウォームギアに噛み合うラックギアと、を含みうる。
【００２０】
前記プランジャー自動加圧ユニットは、前記プランジャー駆動部と前記ウォームギアを一体に支持するユニットケーシングをさらに含みうる。
【００２１】
前記ギア作動部は、一方向に摺動加圧される時、前記ウォームギアが、前記ラックギアに噛み合うように前記ユニットケーシングを動作させるプッシャーと、前記ユニットケーシングに連結され、前記ウォームギアが、前記ラックギアから噛み合い解除される方向に付勢される弾性部材と、を含みうる。
【００２２】
前記ユニットケーシングは、前記プッシャーと対面する一面に前記プッシャーの摺動方向に沿って傾斜して設けられる傾斜接触部が形成され、前記プッシャーは、前記傾斜接触部に沿って摺動されながら、前記ユニットケーシングを加圧する加圧部材と、前記加圧部材にピン連結されるプッシャースイッチと、を含みうる。
【００２３】
前記ユニットケーシングには、前記ウォームギアが露出されるウォームギア露出用切り取り部がさらに形成されうる。
【００２４】
前記プランジャーが通過しながらガイドされるプランジャートンネル部を備え、前記ユニットケーシングと折畳可能に結合されるプランジャーガイドボディーをさらに含みうる。
【００２５】
前記プランジャートンネル部には、前記ラックギアが露出されるラックギア露出用切り取り部がさらに形成されうる。
【００２６】
前記プランジャーガイドボディーの外壁面に突設されるブラケットに収容されて、前記プランジャー駆動部に電源を供給する電源供給部をさらに含み、前記電源供給部は、電源を供給する少なくとも１つの充電用バッテリと、前記少なくとも１つの充電用バッテリを有線または無線で充電させるコンプライアンスモジュールと、を含みうる。
【００２７】
前記プランジャーガイドボディーと前記プランジャー自動加圧ユニットの外側で前記プランジャーガイドボディーと前記プランジャー自動加圧ユニットを保護する保護ケーシングをさらに含みうる。
【００２８】
前記プランジャー手動ハンドルは、前記保護ケーシングの外壁に閉ループ状になるように結合され、前記プランジャーの移動方向に沿って前記プランジャーが通過する通過孔が設けられるハンドル把持部と、前記通過孔を通じて前記プランジャーの一端部と連結されて、前記プランジャーを加圧するプランジャー加圧部と、を含みうる。
【００２９】
前記保護ケーシングの外壁には、前記ハンドル把持部が挿設される挿入溝が形成され、前記ハンドル把持部には、前記挿入溝に挿設される挿入突起が設けられうる。
【００３０】
前記注射液アンプルが内部に収容され、前記保護ケーシング内部に挿入されるアンプルホルダー部をさらに含み、前記アンプルホルダー部は、前記注射液アンプルが内部に収容されるアンプル収容部と、前記アンプル収容部に結合されるニードルホルダーと、前記ニードルホルダーに結合される体内注入用ニードルと、を含み、前記アンプル収容部は、前記アンプル収容部の末端部に隣接した位置で円周方向に沿って突設された少なくとも１つの係止突起が設けられ、前記アンプル収容部が回転すれば、前記係止突起が、前記保護ケーシングに形成された干渉壁体に干渉されうる。
【００３１】
前記保護ケーシングは、上部ケーシングと、前記上部ケーシングと互いに組み立てられる下部ケーシングと、を含み、前記上部ケーシングと前記下部ケーシングの前端部外側には、周り方向に沿って突設された突出部が設けられ、前記上部ケーシングと下部ケーシングをクランピングするクランピングキャップをさらに含み、前記クランピングキャップの内側には、前記突出部が係合されるように周り方向に沿って陥没形成された溝部が設けられうる。
【発明の効果】
【００３２】
本発明によれば、手動／自動モード切替えが可能であって、便宜性が増大し、患者の敏感度によって注入方式を自在に選択して、薬液注入時間を節減して、患者の満足度が向上する。
【図面の簡単な説明】
【００３３】
【図１】本発明の一実施形態による薬液注入装置が示された斜視図である。
【図２】図１でプランジャー加圧部が保護ケーシング後方に引き出された状態を示す図面である。
【図３】図１の薬液注入装置の部分分解斜視図である。
【図４】図１で保護ケーシング内部にアンプル収容部が装着された状態を説明する部分切り取り拡大図である。
【図５】図１で上部ケーシングが除去された平面図である。
【図６】図５のＡ領域の拡大図である。
【図７】図３のＢ領域の拡大図である。
【図８】図７の分解斜視図である。
【図９−１２】本発明の一実施形態によるプランジャー自動加圧ユニットの動作メカニズムを説明する参照図面である。
【発明を実施するための形態】
【００３４】
本発明と本発明の動作上の利点、及び本発明の実施によって達成される目的を十分に理解するためには、本発明の望ましい実施形態を例示する添付図面及び添付図面に記載の内容を参照しなければならない。
【００３５】
以下、添付図面を参照して、本発明の望ましい実施形態を説明することによって、本発明を詳しく説明する。但し、本発明を説明するに当って、既に公知された機能あるいは構成についての説明は、本発明の要旨を明瞭にするために省略する。
【００３６】
図面の説明に先立って、以下で説明される注射液は、動物やヒトの体内に注入される多様な薬物のうち如何なるものでも良い。
【００３７】
但し、本実施形態では、歯科インプラント施術において、局部麻酔のための麻酔液を例示する。
【００３８】
図１は、本発明の一実施形態による薬液注入装置が示された斜視図であり、図２は、図１でプランジャー加圧部が保護ケーシング後方に引き出された状態を示す図面であり、図３は、図１の薬液注入装置の部分分解斜視図であり、図４は、図１で保護ケーシング内部にアンプル収容部が装着された状態を説明する部分切り取り拡大図であり、図５は、図１で上部ケーシングが除去された平面図であり、図６は、図５のＡ領域の拡大図であり、図７は、図３のＢ領域の拡大図であり、図８は、図７の分解斜視図であり、図９ないし図１２は、本発明の一実施形態によるプランジャー自動加圧ユニットの動作メカニズムを説明する参照図面である。
【００３９】
図１ないし図１２に示したように、本発明の実施形態による薬液注入装置１は、注射液が充填されるアンプル（ａｍｐｌｅ、Ｍ）が内部に収容されるアンプルホルダー部２０と、アンプルＭに連結されてアンプルＭ内の注射液を加圧するプランジャー３０と、プランジャー３０の一側に連結され、プランジャー３０を手動で加圧するプランジャー手動ハンドル１００と、プランジャー３０に隣接した位置でプランジャー３０と選択的に連結され、動力によってプランジャー３０を自動で加圧するプランジャー自動加圧ユニット２００と、プランジャー３０が通過しながらガイドされるプランジャートンネル部３１０と、を備え、プランジャー自動加圧ユニット２００と折畳可能に結合されるプランジャーガイドボディー３００と、プランジャーガイドボディー３００とプランジャー自動加圧ユニット２００の外側でプランジャーガイドボディー３００とプランジャー自動加圧ユニット２００を保護する保護ケーシング１０と、を含む。
【００４０】
まず、図１ないし図３を参照すれば、保護ケーシング１０は、薬液注入装置１の本体を形成する部分であって、内部にプランジャー自動加圧ユニット２００、プランジャーガイドボディー３００、電源供給部４００を含めて保護ケーシング１０の外面に配されて、プランジャー自動加圧ユニット２００を制御するための動作ボタン４０と連結されるＰＣＢ（Ｐｒｉｎｔｅｄ  Ｃｉｒｃｕｉｔ  Ｂｏｒａｄ）５０基板を収容する。
【００４１】
このような保護ケーシング１０は、上部ケーシング１１と、上部ケーシング１１と分離される下部ケーシング１２と、を含む。上部ケーシング１１と下部ケーシング１２は、互いに組み立てされてクランピングキャップ１３によって固定される。これについて付加的に説明すれば、クランピングキャップ１３の内側には、周り方向に沿って陥没形成された溝部１３ａが設けられ、上部ケーシング１１と下部ケーシング１２の前端部外側には、周り方向に沿って突設された突出部Ｐが設けられて、クランピングキャップ１３の溝部１３ａに保護ケーシング１０の突出部Ｐが差し込まれて結合される。
【００４２】
また、保護ケーシング１０は、プランジャー３０が内部を貫通して移動できるように両端部が開口され、開口された前端部にアンプルホルダー部２０が着脱自在に結合され、外側面部には、プランジャー手動ハンドル１００が結合される。
【００４３】
そして、上部ケーシング１１の上面には、プランジャー自動加圧ユニット２００を選択的にプランジャー３０に連結または連結解除させるためのプッシャースイッチ２３１ｂが設けられ、上部ケーシング１１と下部ケーシング１２が結合される一面には、プランジャー自動加圧ユニット２００を作動させるための動作ボタン４０が設けられる。
【００４４】
本実施形態において、施術者がプッシャースイッチ２３１ｂを正方向に摺動されるように加圧すれば、プランジャー３０とプランジャー自動加圧ユニット２００が連結され、再び逆方向に摺動されるように加圧すれば、プランジャー３０とプランジャー自動加圧ユニット２００が連結解除される。
【００４５】
プランジャー３０とプランジャー自動加圧ユニット２００が連結された状態で動作ボタン４０を押せば、プランジャー自動加圧ユニット２００が作動する。これについての詳しい説明は、便宜上、後述する。
【００４６】
動作ボタン４０は、プランジャー自動加圧ユニット２００に供給される電源をＯＮ／ＯＦＦさせ、また、注射液の注入速度（例えば、互いに異なる４段階の注入速度）を段階別に調節する役割を果たす。
【００４７】
例えば、本実施形態では、動作ボタン４０を一定時間以上押してから離すと、プランジャー自動加圧ユニット２００による注射液注入速度が段階別に調節される。しかし、このような事項に、本発明の権利範囲が制限されるものではなく、注入速度などを段階別に調節するために、動作ボタン４０は複数個が設けられることもある。
【００４８】
図示していないが、保護ケーシング１０の側面には、バッテリ４１０充電状態、自動モード及び注入速度を表示するＬＥＤ表示灯が設けられうる。
【００４９】
本実施形態では、プッシャースイッチ２３１ｂと動作ボタン４０が保護ケーシング１０外壁面に設けられているが、施術者の便宜のために、動作ボタン４０は、プランジャー手動ハンドル１００の一側に設けられることもある。
【００５０】
一方、本実施形態の注射液である歯科用局部麻酔剤は、アンプルＭに収容される。詳しく図示していないが、アンプルＭは、両端部が開口されるパイプ形態のアンプル胴体Ｍ１と、アンプル胴体Ｍ１の一側開口部を密封するシーリングキャップＭ２と、アンプル胴体Ｍ１の他側開口部を密封し、アンプル胴体Ｍ１の内側壁に沿って移動可能なピストン（図示せず）で構成される。
【００５１】
アンプルホルダー部２０は、保護ケーシング１０に着脱自在に結合され、内部にアンプルＭを収容する。このようなアンプルホルダー部２０は、アンプルＭが収容されるアンプル収容部２３と、アンプル収容部２３に結合されるニードルホルダー２２と、ニードルホルダー２２に結合される体内注入用ニードル（ｎｅｅｄｌｅ）２１と、を含む。
【００５２】
アンプル収容部２３は、内部が中空となり、外壁面には、アンプルＭに残存する注射液を確認することができるビューポート２３ａが設けられ、前端部は、ニードルホルダー２２とスクリュー結合されるネジ山が形成され、末端部は、アンプルＭが内部に出入りするように開口される。また、アンプル収容部２３は、アンプル収容部２３の末端部領域の外側壁から突出して設けられる係止突起２３ｂを含む。
【００５３】
図４ないし図６に示したように、アンプル収容部２３は、アンプル収容部２３の係止突起２３ｂがクランピングキャップ１３の入口に干渉されないように係止突起２３ｂとクランピングキャップ１３に形成された係止突起通過孔１３ｂが一致する方向でのみ保護ケーシング１０内部に挿入される。
【００５４】
アンプル収容部２３が十分に保護ケーシング１０内に挿入されれば、保護ケーシング１０に設けられる挿入制限壁Ｂ１にアンプル収容部２３の末端部が当接し、これ以上アンプル収容部２３が挿入されない。次いで、アンプル収容部２３を正逆方向に回転させれば、係止突起２３ｂが保護ケーシング１０の干渉壁体Ｂ２に干渉されて、アンプル収容部２３が保護ケーシング１０外に抜け出ない。
【００５５】
ニードルホルダー２２は、アンプル収容部２３の前端部に着脱自在に結合される。この際、ニードルホルダー２２は、ニードルホルダー２２の内側に形成されたグルーブとアンプル収容部２３前端のネジ山が締結されて結合される。
【００５６】
体内注入用ニードル２１は、ニードルホルダー２２を通じてアンプル収容部２３内部に配されたアンプルＭ１のシーリングキャップＭ２を貫通してアンプルＭ内部と連通される。したがって、アンプルＭ内部の注射液は、ピストンによって加圧されて体内注入用ニードル２１を通じて被施術者に注入される。
【００５７】
一方、ピストンは、プランジャー３０の前端部に結合されたフック状のピストン連結ピン３１に連結される。ピストンは、弾性のある軟質のゴム素材で設けられる。
【００５８】
ピストン連結ピン３１がピストン内部に挿入されれば、フック状によってピストンとプランジャー３０が分離されることが阻止される。したがって、プランジャー３０がピストンを加圧する方向の逆方向に移動しても、ピストンがプランジャー３０と分離されず、引っ張られて共に逆方向に移動する。
【００５９】
アンプルＭのピストンを加圧して往復運動させるプランジャー３０は、プランジャー手動ハンドル１００またはプランジャー自動加圧ユニット２００によって動作する。
【００６０】
すなわち、被施術者に注射液を注入時に、ピストンは、プランジャー３０によって加圧され、プランジャー３０は、プランジャー手動ハンドル１００またはプランジャー自動加圧ユニット２００の作動によって加圧されて、アンプルＭ内部に収容された注射液がニードル２１外部に吐き出される。
【００６１】
以下、このようなプランジャー手動ハンドル１００とプランジャー自動加圧ユニット２００について詳しく説明する。
【００６２】
まず、プランジャー手動ハンドル１００は、施術者がプランジャー３０を手動で動作させるための構成であって、薬液注入装置１を把持するためのハンドル把持部１１０と、プランジャー３０を加圧するためのプランジャー加圧部１２０と、を含む。
【００６３】
ハンドル把持部１１０は、保護ケーシング１０の両側面に結合されて２つの円形閉ループ状に設けられる。
【００６４】
このようなハンドル把持部１１０は、外観を形成する把持部胴体１１１と、保護ケーシング１０の両側外壁面に結合される２つの接触面から突設された少なくとも１つの挿入突起１１２と、プランジャー３０が通過するように保護ケーシング１０と連通される通過孔１１３と、を含む。
【００６５】
ハンドル把持部１１０は、前述したように、挿入突起１１２が保護ケーシング１０の両側面に形成された挿入溝１１ａ１２ａ内に係合され、保護ケーシング１０と連通される領域の接触面が保護ケーシング１０にボルト締結されて結合される。
【００６６】
プランジャー加圧部１２０は、外観を形成するリング状の加圧部胴体１２１と、加圧部胴体１２１とプランジャー３０を連結させるプランジャー連結ピン１２２と、を含む。
【００６７】
加圧部胴体１２１は、把持部胴体１１１と接面されるように結合されて保護ケーシング１０を挟んで把持部胴体１１１と共に３つの円形廃ルーフ形成するように設けられる。しかし、このような事項に、本発明の権利範囲が限定されるものではないので、加圧部胴体１２１と把持部胴体１１１の形状は、多様な形状に設計変更されても良い。
【００６８】
加圧部胴体１２１は、ハンドル把持部１１０の通過孔１１３を通じて保護ケーシング１０の後方に露出されるプランジャー３０の後端部とプランジャー連結ピン１２２によって連結される。
【００６９】
このような構成を有するプランジャー手動ハンドル１００を用いて、施術者は、ハンドル把持部１１０に人差し指と中指とを入れて薬液注入装置１を把持し、プランジャー加圧部１２０には、手の親指を入れてプランジャー加圧部１２０を引っ張るか、押してプランジャー３０を移動させて、アンプルＭのピストンを手動で加圧して、注射液を被施術者に注入することができる。
【００７０】
前述したように、アスピレーションを施行する場合、注射液が少量であって、注入時間が比較的短い場合、及び患者の痛みに対する敏感度によって被施術者が任意に判断して注射液を注入しようとする場合には、手動で注射液を注入することが便利である。
【００７１】
しかし、手動で注入する場合、麻酔液は痛みを減らすために、なるべく遅い速度でなされなければならないが、施術者が一定の注入速度を保持しながら、長時間薬液注入装置１を持っていることが大変である。
【００７２】
それだけではなく、施術者が女性であれば、プランジャー３０に十分な加圧力を伝達するために、手ぶれ現象や注入速度が不規則であって、被施術者に苦痛を誘発させる恐れがある。
【００７３】
このような問題点を補完するために、本実施形態による薬液注入装置１は、手動と自動注入方式が兼用されるように構成され、自動注入方式は、プランジャー自動加圧ユニット２００が担当する。
【００７４】
以下、図７ないし図１２を参照して、保護ケーシング１０の内部で動作するプランジャー自動加圧ユニット２００について詳しく説明する。
【００７５】
本実施形態によるプランジャー自動加圧ユニット２００は、保護ケーシング１０内部に配され、プランジャー３０を加圧させるための動力を提供するプランジャー駆動部２１０と、ギア方式によってプランジャー３０と選択的に連結または連結解除される連結ギア部２２０と、連結ギア部２２０を作動させるギア作動部２３０と、を含む。
【００７６】
本実施形態において、連結ギア部２２０は、プランジャー駆動部２１０に結合されるウォームギアと、プランジャー３０の外面に形成されてウォームギア２２１に噛み合うラックギア２２２と、で構成される。
【００７７】
プランジャー駆動部２１０は、ウォームギア２２１を回転させる駆動モータ２１０で設けられ、駆動モータ２１０の回転軸にウォームギア２２１が直結される。そして、駆動モータ２１０とウォームギア２２１は、ユニットケーシング２４０内部に一体に収容されている。ウォームギア２２１は、ユニットケーシング２４０が部分的に切り取られて形成されたウォームギア露出用切り取り部２４１を通じてラックギア２２２と噛み合う。
【００７８】
駆動モータ２１０によってウォームギア２２１が正逆方向に回転すれば、ウォームギア２２１に噛み合っているラックギア２２２は回転せずに直線運動する。これにより、ラックギア２２２と一体型を形成するプランジャー３０が直線運動しながら、アンプルＭのピストンを加圧する。
【００７９】
一方、本実施形態において、プランジャー３０は、プランジャー３０が通過しながらガイドされるプランジャートンネル部３１０を備えるプランジャーガイドボディー３００を貫通するように配されている。
【００８０】
プランジャーガイドボディー３００は、上部にユニットケーシング２４０を支持し、ユニットケーシング２４０と折畳可能に結合されている。敷衍すれば、プランジャーガイドボディー３００とユニットケーシング２４０は、回転軸を形成するヒンジピン（図示せず）で互いに結束され、この際、プランジャーガイドボディー３００は、固定されており、ユニットケーシング２４０は、プランジャーガイドボディー３００に対して回転自在となっている。
【００８１】
そして、プランジャー３０に形成されたラックギア２２２は、プランジャーガイドボディー３００が部分的に切り取られて形成されたラックギア露出用切り取り部３２０を通じてウォームギア２２１と噛み合う。
【００８２】
ギア作動部２３０は、一方向に摺動加圧される時、ウォームギア２２１がラックギア２２２に噛み合うようにユニットケーシング２４０を動作させるプッシャー２３１と、ユニットケーシング２４０に連結され、ウォームギア２２１がラックギア２２２から噛み合い解除される方向に付勢される弾性部材２３２と、を含む。
【００８３】
本実施形態において、弾性部材２３２は、一対のスプリング（ｓｐｒｉｎｇ）であり得る。もちろん、本実施形態と異なって、弾性部材２３２は、弾性力を有する多様な材質の素材に置き換え適用されることもある。
【００８４】
プッシャー２３１は、ユニットケーシング２４０を加圧する加圧部材２３１ａと、加圧部材２３１ａとプッシャーピン２３１ｃで連結されるプッシャースイッチ２３１ｂと、で構成される。
【００８５】
プッシャースイッチ２３１ｂは、保護ケーシング１０の上面に露出されるように設けられて、施術者が指で押すか、引っ張るようになっている。プッシャースイッチ２３１ｂから伝達される加圧力は、プッシャーピン２３１ｃを通じて加圧部材２３１ａに伝達される。
【００８６】
図１０ないし図１２に示したように、加圧部材２３１ａがユニットケーシング２４０の上面に形成された傾斜接触部に沿って正方向に摺動されれば、ユニットケーシング２４０が加圧されてプランジャーガイドボディー３００に折畳される。これにより、弾性部材２３２は圧縮され、ウォームギア２２１とラックギア２２２とが噛み合う。
【００８７】
逆に、加圧部材２３１ａが逆方向に摺動されれば、ユニットケーシング２４０とプランジャーガイドボディー３００との間に圧縮されていた弾性部材２３２が付勢されながら、ユニットケーシング２４０とプランジャーガイドボディー３００を離隔させ、これにより、ウォームギア２２１とラックギア２２２とが噛み合い解除される。
【００８８】
このような構成で、施術者は、保護ケーシング１０上面に設けられたプッシャースイッチ２３１ｂを押すか、引っ張ってプランジャー３０と自動加圧ユニットを連結または連結解除させることによって、簡単に手動注入方式と自動注入方式とを選択することができる。
【００８９】
一方、本実施形態において、駆動モータ２１０に電源を供給する電源供給部４００は、プランジャーガイドボディー３００の下部に配される。このために、プランジャーガイドボディー３００は、プランジャーガイドボディー３００の下面を形成する外壁面に突設される隔壁を有する電源収容部３３０をさらに含む。
【００９０】
電源供給部４００は、電源を供給する少なくとも１つの充電用バッテリ４１０と、充電用バッテリ４１０に無線で電源を充電させるコンプライアンスモジュール４２０と、を含む。そして、コンプライアンスモジュール４２０は、外部電源から誘導電流を受信するＲＸコイル部４２１とＲＸコイル部４２１と連結されて充電用バッテリ４１０に電流を充電させるＲＸ＿ＰＣＢ４２２とを含む。
【００９１】
本実施形態による薬液注入装置１は、無線充電方式で充電用バッテリ４１０に電源が充電される。これについて簡略に説明すれば、薬液注入装置１は、内部に電磁場を発生させるＴＸコイル部が内在された電源充電用クレードル（ｃｒａｄｌｅ、図示せず）に据え置きされる。この際、ＲＸコイル部４２１は、ＴＸコイル部で発生した誘導電流を受信する。ＲＸコイル部４２１から受信された誘導電流は、ＲＸ＿ＰＣＢ４２２を通じて充電用バッテリ４１０に充電されうる。
【００９２】
もちろん、本実施形態において、薬液注入装置１は、便宜上、無線充電方式を適用しているが、本発明の権利範囲が、これに限定されるものではないので、本実施形態と異なって、コンプライアンスモジュール４２０は、充電用バッテリ４１０が有線または接電方式で充電されるように構成することもできる。
【００９３】
以下、本発明の実施形態による薬液注入装置１の動作について簡単に説明する。
【００９４】
まず、注射液が収容されたアンプルＭをアンプルホルダー部２０に挿入する。次いで、アンプルホルダー部２０の係止突起２３ｂとクランピングキャップ１３の係止突起通過孔１３ｂが一致する方向にアンプルホルダー部２０を保護ケーシング１０内部に挿入してアンプルホルダー部２０を保護ケーシング１０に装着する。
【００９５】
この際、プランジャー加圧部１２０は、ハンドル把持部１１０と離れて離隔し、一端部がプランジャー加圧部１２０に連結されたプランジャー３０は、保護ケーシング１０後方に露出された状態に位置する。
【００９６】
次に、施術者は、必要に応じて自動注入方式と手動注入方式とのうちさらに適した注入方式を選択して決定する。
【００９７】
手動注入方式と自動注入方式は、前述したように、プッシャースイッチ２３１ｂの位置を自動モードまたは手動モードに位置させることによって、相互簡単に切替えられる。
【００９８】
手動注入方式は、一般的なシリンジの注入方式と類似している。
【００９９】
まず、プッシャースイッチ２３１ｂが手動モード位置にあるかを確認する。次いで、ハンドル把持部１１０に人差し指と中指とを入れて薬液注入装置１を簡単に把持し、手の親指をプランジャー加圧部１２０に入れ、プランジャー加圧部１２０を前に押せば、プランジャー３０が加圧され、プランジャー３０は、アンプルＭのピストンを加圧し、ピストンは、アンプルＭ内部の注射液を加圧して、注射液が体内注入用ニードル２１を通じて施術部位に注入される。
【０１００】
そして、自動注入方式は、次の通りである。
【０１０１】
まず、手動モードに位置されたプッシャースイッチ２３１ｂを前に摺動されるように加圧して自動モードに位置させる。プッシャースイッチ２３１ｂが自動モードに位置されれば、ユニットケーシング２４０がプランジャーガイドボディー３００に折畳され、連結ギア部２２０のウォームギア２２１とラックギア２２２とが噛み合う。
【０１０２】
次いで、保護ケーシング１０側面に位置した動作ボタン４０を押せば、駆動モータ２１０に電源が供給され、駆動モータ２１０に直結されたウォームギア２２１が回転する。ウォームギア２２１に噛み合ったラックギア２２２は回転せず、直線運動する。これにより、ラックギア２２２と一体型を形成するプランジャー３０が移動し、アンプルＭのピストンが加圧される。ピストンは、アンプルＭ内の注射液を加圧し、注射液は、体内注入用ニードル２１を通じて施術部位に注入される。
【０１０３】
この際、注射液は、駆動モータ２１０によって一定の速度を保持しながら、自動で体内に注入されるために、被施術者は痛みを感じなくなる。
【０１０４】
また、被施術者の麻酔状態が痛みを大きく感じることができない程度に進捗されれば、動作ボタン４０を操作して自動注入速度を迅速に調節するか、手動モードに切り替えて残余注射液を迅速に注入させることもできる。
【０１０５】
このように、本実施形態による薬液注入装置は、手動／自動モード切替えが可能であって、便宜性が増大し、患者の敏感度によって注入方式を自在に選択して、薬液注入時間を節減し、患者の満足度が向上する。
【０１０６】
このように、本発明は、記載の実施形態に限定されるものではなく、本発明の思想及び範囲を外れずに多様に修正及び変形できるということは、当業者に自明である。したがって、そのような修正例または変形例は、本発明の特許請求の範囲に属するものと言わなければならない。
【産業上の利用可能性】
【０１０７】
本発明は、薬液注入装置に関するものであって、医療産業、特に、歯科医療産業に利用可能である。
【図１】
0006353551.tif 000002
【図２】
0006353551.tif 000003
【図３】
0006353551.tif 000004
【図４】
0006353551.tif 000005
【図５】
0006353551.tif 000006
【図６】
0006353551.tif 000007
【図７】
0006353551.tif 000008
【図８】
0006353551.tif 000009
【図９】
0006353551.tif 000010
【図１０】
0006353551.tif 000011
【図１１】
0006353551.tif 000012
【図１２】
0006353551.tif 000013